Podtech/llm-jp-corpus-v4-ja_patent huggingface dataset:
(57)【要約】      （修正有）【課題】何度も、繰り返し利用でき、転写能力が長く使用可能な家庭用洋裁転写マットを提供する。【解決手段】表面に粘着部分を設けたゴム粘着マットからなる家庭用洋裁転写マットであり、男女を問わず、洋裁の本の作家や、洋裁や小物づくりに貢献できる。マットの大きさは、６０×１００×２ｍｍである。【選択図】図１
0003233915.tif 000002
【実用新案登録請求の範囲】
【請求項１】
ゴム粘着マットを利用し、家庭用洋裁転写マットを作成。
【考案の詳細な説明】
【技術分野】
【０００１】
本考案は、便利になりすぎて、又洋裁を自分用の洋服に着手するには、途中で
投げ出し、実際に似合うより、ワンシーズンを、安い輸入品もしくは、その時
の流行でまかなう、事が実情、若しくは物本を見て作成断念、そこで本作家は、
作成用型紙を、本の最後に添付、S・M・L・LL  と明記し自分サイズを切る
ことを提言、後は本中の２枚目の型紙は、製図を出版社へ注文という丸投げ状態
が、実情。
【背景技術】
【０００２】
大手本出版社に於いて、昔ながらの製図の、方法では、若者達に納得出来、素早く
自分に合うスタイルの製図を、提供する事が現代の素早い対応。
洋裁を、昔、習得した人には、面倒くさい段階を飛び越え、自分仕様で、簡単
繰り返し、使用可能の洋裁転写マット。
【考案の概要】
【考案が解決しようとする課題】
【０００３】
製図を大きな物や小さな物を、製図に起こし移そうとすると、３段で移します、
今の段階では、１段階、製図に合う段ボールを用意し、その上に第２段階、
写し取る本の製図の為にその製図に匹敵する用紙を挟み込み、全部の本の製図
３段階目、作成する製図を置き、洋裁用の目打ちで、図の正確な型紙の部分に
入れ込みすぎると、原本である製図が、ダメージを受ける。故に一番下の、
段ボールを、除いて、その部分を粘着マットとすり替え、原型・マットを循環し
作成回数を何度も継続して使用可能となる。
【課題を解決するための手段】
【０００４】
洋裁用に適した段ボールは、入荷しづらく、適応しにくく、箱での代用でも、凸凹
があり目打ちでの、型紙では、手間がかかる。故に洋裁で、現代の若者たち、瞬時
的確に粘着マット上の表面での、柔軟性を利用して何回も繰り返し転用が出来る。
【考案の効果】
【０００５】
表面の軽い粘着部分が、段ボールに代わり、原本製図に紙破のない転写能力の
高い粘着マットは、家庭洋裁には、欠かせない洋裁用具の１つと、なりうる。
【図面の簡単な説明】
【０００６】
【図１】本考案の転写マットの図
【考案を実施するための形態】
【０００７】
洋裁用に適した段ボールは、入荷しづらく、適応しにくく、箱での代用でも、凸凹
があり目打ちでの、型紙では、手間がかかる。故に洋裁で、現代の若者たち、瞬時
的確に粘着マット上の表面での、柔軟性を利用して何回も繰り返し転用が出来る。
【図１】
0003233915.tif 000003
【手続補正書】
【提出日】令和3年6月24日(2021.6.24)
【手続補正１】
【補正対象書類名】実用新案登録請求の範囲
【補正対象項目名】全文
【補正方法】変更
【補正の内容】
【実用新案登録請求の範囲】
【請求項１】
表面に粘着部分を設けたゴム粘着マットからなる家庭用洋裁転写マット。
(57)【要約】      （修正有）【課題】１枚の紙や壁紙等でできており、写真やはがき等を包むことで、写真等の収納や整理を簡単にできる写真収納シートを提供する。【解決手段】写真やはがきなどの収納容器および写真収納容器をつくるシート１であり、ラベル表示部２と背面部３、写真を包む部分４がシート１枚でできていて、保管したい枚数の写真を線ｃに合わせて置き、写真の厚みに合わせて底部分に折り目ｄをつけて包み、余ったシートは写真の後ろに織り込み、ラベル表示部２に写真等の見出しを書く。写真などの保管が容易にでき、ラベルがあることで検索もできるので写真等の整理や収納に役立つ。【選択図】図１
0003233920.tif 000002
【実用新案登録請求の範囲】
【請求項１】
１枚のシートからできていて、ラベル表示部と底辺に折り目の入った背面部、写真やはがきを５０枚ほど包める長さの包む部分から成っていて、写真等を背面部の底辺の折り目に合わせて置いて、包む部分を写真等の量に合わせて折り曲げて写真等を包んで保存ができる写真収納容器。
【請求項２】
１枚のシートからできていて、シートを二重等にすることで厚みをもたせたラベル表示部と底辺に折り目の入った背面部、写真等を５０枚ほど包める長さで背面よりは長い包む部分から成っていて、写真を背面部の底辺に合わせて置いて包む部分で写真やはがきを包んで保存ができ、写真等を収納する前はラベル表示部と背面部には折り目が入っているが包む部分には折り目が入っていない写真収納容器を作るシート。
【考案の詳細な説明】
【技術分野】
【０００１】  本考案は、ラベル表示部と底辺に折り目の入った背面部、写真を包む部分がシート１枚でできていて、写真やはがきをシートで巻いて保存する収納容器、及び、写真収納シートに関するものである。
【背景技術】
【０００２】  現像した写真の整理は台紙に貼るアルバムやポケットアルバムが主流。アルバムに入れずに箱で管理する方法もある。
【考案の概要】
【考案が解決しようとする課題】
【０００３】  写真の保管方法を決める際、収納場所や、収納量、アルバムのサイズ、デザイン等の条件がある。また、手間がかかる、アルバムが決まらない等の理由で、写真をそのまま保管し見返さずに長年放置されていることもある。
台紙に貼るアルバムや、ポケットアルバムの場合は一覧性があって見やすいが、アルバム自体のサイズがまちまちで棚に合わないことや、大量の写真になると収納スペースの確保が難しいことがある。また、アルバム自体の重さも合わさり重くなる。そして、アルバムに収納すること自体が手間であり、写真を抜き取った際に、写真を詰めて入れ直すこともしづらい。最近では、ましかくの写真や、それ専用のアルバムも発売されており、写真のサイズが違うことで同じアルバムにまとめられないことがある。
箱に写真を保管する方法では、収納力があり、順番の入れ替えや出し入れは容易だが、いつ、だれの、何の写真なのかが即座に分かりにくい。まとめて取り出すことも難しい。
【課題を解決するための手段】
【０００４】  １枚のシートからできていて、シートを二重等にすることで厚みをもたせたラベル表示部と底辺に折り目の入った背面部、写真等を５０枚ほど包める長さで背面よりは長い包む部分から成っていて、写真等を背面部の底辺に合わせて置いて包む部分を写真等の量に合わせて折り曲げて写真等を包んで保存ができる形態になったことで問題を解決している。
【考案の効果】
【０００５】  上記の様に、複数枚の写真をシートで包むだけという単純な方法のため、軽量で、写真の量に合わせた厚みに調整することができるため省スペース、まとめて取り出すことができるようになった。背面部と写真を包む部分をつまんで取り出すため、写真がバラバラに落ちることもない。従来の方法に比べて手軽に写真の整理をすることができるようになり、収納場所や、収納量、アルバムや写真のサイズ等の制限が軽減した。
そして、ラベル部分があることで、検索性が向上した。また、サイズが小さくなったことで、引き出しに入れたり、棚に合う箱に入れることで今まで収納することができなかった棚等にも収納することが可能になった。
【図面の簡単な説明】
【０００６】
【図１】写真を包むシートの斜視図。
【図２】写真を包む前のシートの斜視図。
【図３】写真を包むときに折り曲げる方法を示す正面図。
【図４】写真を包むときに折り曲げる方法を示す斜視図。
【図５】写真を包んだ時の斜視図。
【図６】本考案の写真収納容器を箱に入れたときの斜視図。
【考案を実施するための形態】
【０００７】  シート１はＬ判サイズの場合はＡ４用紙等を縦３０ｃｍ程横１３ｃｍ程、はがきサイズの場合はＡ３シート等を縦３４ｃｍ程、横１５ｃｍに切るか折り曲げる。シート１に文字を記入しやすいように紙や壁紙等を使用する。また、写真の保存に影響の少ないものとする。また、ラベルが自立しやすく、かつ写真を包みやすい厚みのものを使用する。
図１にあるように、シート１は、ラベル表示部２（ａ⇔ｂ）、背面部３（ｂ⇔ｃ）、写真やはがきを包む部分４（ｃ⇔ｇ）となる。写真やはがきを包む部分４は写真等を５０枚程包める長さになっており、背面部より長い。ラベル表示部２を４ｃｍ程に折り曲げることで厚みをもたせ自立しやすいようにする。さらに、折り目ｂから、（Ｌ判写真やはがきの短辺の長さ）＋１〜１．５ｃｍ程のところに折り目ｃをつける。これが、図２の写真を包む前の状態となる。
図３のように、保管したい枚数の写真を折り目ｃに底辺を合わせて置く。折り目ｃから、写真の厚みの長さ分を足したところに折り目ｄをつけ折り曲げる。図４のように、写真やはがきのサイズに合わせて折り目ｅをつけ、写真の厚み分を足したところに折り目ｆを付け写真を巻き込む。図５のようにシートのｇ辺は写真の後ろに折りこむ。写真を包んだ後も見えるラベル表示部１の部分に写真の見出しを書く。
図６のように箱や引き出しに立てて入れたり、思い出の品と一緒に入れる等して保管する。背面部と写真を包む部分をつまんで取り出す。
本考案は、写真だけでなくはがきの収納にも利用できるものである。写真収納容器の定義は、写真またははがきの収納容器を示している。
【符号の説明】
【０００８】１・シート
ａ・シートの天
ｂ・折り目
ｃ・折り目
ｄ・折り目
ｅ・折り目
ｆ・折り目
ｇ・シートの地
２・ａ⇔ｂ間  ラベル表示部
３・ｂ⇔ｃ間  背面部
４・ｃ⇔ｇ間  写真を包む部分
【図１】
0003233920.tif 000003
【図２】
0003233920.tif 000004
【図３】
0003233920.tif 000005
【図４】
0003233920.tif 000006
【図５】
0003233920.tif 000007
【図６】
0003233920.tif 000008
(57)【要約】      （修正有）【課題】打球時に発生するストリングの高周波振動による不快な音や振動を充分に減らすことができる、ラケット用チップ型ダンパーを提供する。【解決手段】減音、及び減振を目的とするシリコンゴム等のチップ型振動止めとなる樹脂製振動吸収体の中央部から外周部、かつ表面から裏側へ貫通する２本以上の直線、曲線、Ｌ字状などの溝３を切削や成形によって配することにより、打球の際に発生する音や振動の減音、減振することが可能な、先端部が外周部へ解放された形状の振り子部２からなる。また支持部の外周面にストリングに嵌め込むための縦溝５を設ける。振り子部には音や振動の減衰効果を増強するために表裏面方向に突起を設けてもよい。さらに支持部と２本以上の溝により形成される振り子部の大きさや形状の組み合わせを変えることにより、打球時に発生する音や振動の減衰量を変えることができる。【選択図】図２
0003233952.tif 000002
【実用新案登録請求の範囲】
【請求項１】
ラケットのストリング間に装着して打球時の減音、及び減振を目的とする樹脂製振動吸収体において、振動吸収体中央部から外周部、および表面から裏面へ貫通する２本以上の溝とそれにより形成される先端部が振動体外周部に解放された振り子部を有するラケット用チップ型ダンパー。
【請求項２】
請求項１の振り子部に突起部を有するラケット用チップ型ダンパー
【考案の詳細な説明】
【技術分野】
【０００１】  本考案はラケットのストリングに装着して使用する振動止めに関する。
【背景技術】
【０００２】  従来のラケット用チップ型振動止め（図１）には、例えば、シリコンゴムを代表とするゴム、プラスチック類よりなるストリングの間隔に合わせた大きさの円形、方形、三角形、台形等の支持体の外周面にストリングに装着できるような溝を配し材料の柔らかさだけを利用したものや、その中央部を空洞にして潰れ易くしたもの、空洞に内包された茸状の小さな振動体を有するものが主流であった。
【先行技術文献】
【０００３】
【特許文献１】特開平１０−２１１３０３
【考案の概要】
【考案が解決しようとする課題】
【０００４】  従来の円形、方形、三角形、台形等の単純形状のチップ型振動止めやその中央部を空洞にしたもの、あるいは空洞に内包された茸状の振動体を有するものでは、打球時に発生するストリングの高周波振動による不快な音や振動を充分に減らすことができなかった。
【課題を解決するための手段】
【０００５】  本考案は、減音、及び減振を目的とするシリコンゴム等のチップ型振動止めとなる樹脂製振動吸収体（図２の１：支持体）の中央部から外周部、かつ表面から裏側へ貫通する２本以上の直線、曲線、Ｌ字状などの溝を切削や成形によって配するすることにより形成される先端部が外周部へ解放された形状の振り子部（図２の２）から構成される。また支持部の外周面にストリングに嵌め込むための溝（図２の５）を設ける。
また振り子部にの表裏面方向に突起を設けること（図３（イ））で、音や振動の減衰効果を増強する。
【考案の効果】
【０００６】  以上のように本考案では、シリコンゴム等のチップ状の樹脂製振動吸収体の中央部から外周部、かつ表面から裏面まで貫通した２本以上の溝が備わることによって形成される外周に解放された大きな振り子部が打球時の音や振動を減らし、また解放された振り子部の付け根部をより薄く形成し可動し易くすれば、それが全方位に自由に振動し、その慣性によりさらに効果的にストリングやフレームの打球時における不要な音や振動を滅じることができる（図３（ロ））。
また、支持部と複数の溝により形成される振り子部の大きさや形状の組み合わせを変えることにより振動の減衰量を変えることができ、使用者の好みにあった多様なラインナップの構成が可能である。
【図面の簡単な説明】
【０００７】
【図１】従来のチップ型振動止め
【図２】三角形状の支持体に貫通Ｌ字溝を形成した場合の実施例。１…支持体、２…振り子部、３…貫通Ｌ字溝、４…振り子付け根部、５…ストリング装着用溝
【図３】振り子部に突起を有する場合の斜視図（イ）と断面図（ロ）。
【図４】貫通溝形状が曲線の場合（イ：三角型、ロ：丸型、ハ：角型）。
【図５】貫通溝形状がＬ字の場合（イ：三角型、ロ：丸型、ハ：角型）。
【図６】貫通溝形状が直線の場合（イ：三角型、ロ：丸型、ハ：角型）。
【符号の説明】
【０００８】１：シリコンゴム等の振動吸収体（支持体）。
２：振り子部。
３：貫通溝部。
４：振り子付け根部。
５：ストリング装着用溝。
６：突起部
【図１】
0003233952.tif 000003
【図２】
0003233952.tif 000004
【図３】
0003233952.tif 000005
【図４】
0003233952.tif 000006
【図５】
0003233952.tif 000007
【図６】
0003233952.tif 000008
(57)【要約】      （修正有）【課題】所謂「タイヤ打ち」と言われる打撃練習を実施する際における器材として、練習者の体格やスイング軌道に応じた打撃位置の変更、また練習場所の変更が簡便に対応でき、練習効果・効率の向上を図る打撃練習機を提供する。【解決手段】被打撃体１とその被打撃体を立てた状態で保持する保持部分及びその保持部分を支持する台座部分で構成する。被打撃体は回転端で保持部４に接合し、高さ調整を可能とする。保持部と台座９は、機能的に分離・結合が可能なものとし車載する際等にコンパクト化でき、また台座に車輪１０を取付けることにより設置場所の変更等移動を簡便にする。【選択図】図１
0003233951.tif 000002
【実用新案登録請求の範囲】
【請求項１】
バットで打撃する部分のドーナツ型で弾性を有する物体（以下「被打撃体」という。）とその被打撃体部分を立てた状態で保持する保持部分及びその保持部分を支持する台座部分で構成する打撃練習機。
【請求項２】
被打撃体に保持部との接合のための枠を取付け、その枠を回転端で保持部と接合することにより、高さの変更が可能であることを特徴とする請求項１に記載の打撃練習機。
【請求項３】
被打撃体の保持部分と台座部分は、機能として分離・結合が可能であることを特徴とした請求項１または請求項２の打撃練習機。
【考案の詳細な説明】
【技術分野】
【０００１】  本考案は、野球、ソフトボール等の打撃練習を行うための打撃練習機に関するものである。
【背景技術】
【０００２】  野球、ソフトボールの打撃練習で所謂「タイヤ打ち」という打撃練習法がある。この練習法は軽易で一人でも出来、従来からよく行なわれている練習方法である。通常、単に立ち木や地面に打ち込んだ支柱にタイヤを固定することが多い。
【考案の概要】
【考案が解決しようとする課題】
【０００３】  単に立ち木や地面に打ち込んだ支柱にタイヤを固定したものでは、練習者の体格やスイング軌道に応じた打撃ポイントとなるよう高さの調整が困難である。また設置場所の変更も軽易に出来ない場合が多く練習効果・効率に問題がある。この問題を解決するために高さ調整及び設置場所の移動が軽易にできる器材にすることを課題とした。
【課題を解決するための手段】
【０００４】  本考案は、バットで打撃する部分の被打撃体とこの被打撃体を保持する塔状の構造の保持部分及び台座部分で構成する。被打撃体に保持部と結合するための三角形の枠を取付け、被打撃体を立てた状態で保持部に回転端で接合する。これにより被打撃体の高さの変更が可能となる。また、被打撃体に取り付ける枠を三角形とすることにより打撃ポイント広げることができる。【０００５】  保持部分との台座部分は機能的に分離・結合できるようにする。分離することによりコンパクト化でき車載等が軽易となる。また、台座には車輪を取付ける。これらにより移動が容易になる。
【図面の簡単な説明】
【０００６】
【図１】本考案の打撃練習機の実施例を示す正面図である。
【図２】本考案の打撃練習機の実施例を示す平面図である。
【図３】本考案の打撃練習機の実施例を示す側面図である。
【実施例】
【０００７】  添付図面により実施例を説明する。１はバットで打撃する部分である被打撃体、２は被打撃体を保持部と接合するための枠であり被打撃体固定金具３で被打撃体１に取付けている。４は被打撃体１を保持する保持部で、被打撃体１とは枠２の回転端５を介して接合されている。このため被打撃体１の高さの変更が可能となっている。６は被打撃体１と保持部４の固定・解除をおこなうためのハンドルで、７のロックピンと連結金具で連結している。ハンドル６でロックピン７をスライドさせ、保持部４に取付けている位置固定板８の溝に出し入れすることで被打撃体１と保持部４の固定・解除を行う。９は台座である。１０は移動のための車輪、１１は打撃練習時の衝撃等による移動防止のためのアウトリガーである。１２は保持部と台座を結合・固定する保持部固定金具である。【０００８】  被打撃体１の高さを変更する場合は、ロックピン７が位置固定板８の溝から外れ易くなるよう被打撃体１を支え、ロックピン７を若干浮かせる。その状態でハンドル６を引き上げる。ロックピン７は位置固定板８の溝から外れ、被打撃体１は鉛直方向の動きが可能となる。次に所望の高さに被打撃体１を移動させ、ハンドル６を倒しロックピン７を位置固定板８の溝に入れることにより被打撃体１を固定する。【０００９】  車載する際等でコンパクト化が必要な場合には、保持部４と台座９を結合している保持部固定金具１２のボルト・ナットを外し分離する。
【符号の説明】
【００１０】１    被打撃体
２    枠
３    被打撃体固定金具
４    保持部
５    回転端
６    ハンドル
７    ロックピン
８    位置固定板
９    台座
１０  車輪
１１  アウトリガー
１２  保持部固定金具
【図１】
0003233951.tif 000003
【図２】
0003233951.tif 000004
【図３】
0003233951.tif 000005
(57)【要約】      （修正有）【課題】インクジェットプリンターで作成される色付きフイルムの一例を提供する。【解決手段】本考案の色付きフイルムはインクジェットプリンターによって作成される色彩が印刷された紙またはフイルムである。【選択図】図１
0003233967.tif 000002
【実用新案登録請求の範囲】
【請求項１】
インクジェットプリンターに挿入される各種サイズの専用紙に各種の色を印刷して形成されることを特徴とする色付きフイルム。
【請求項２】
前記印刷可能な物体が専用紙，紙，フイルムであることを特徴とする請求項１に記載の色付きフイルム。
【請求項３】
前記フイルムの色が白，赤，黄，緑，青，黒，金，銀，銅，濃赤，濃黄，濃緑，濃青のものからなることを特徴とする請求項１に記載の色付きフイルム。
【考案の詳細な説明】
【技術分野】
【０００１】  本考案は、インクジェットプリンターによって形成される各種各サイズの印刷可能な物体や各種色の色付きフイルムに関する。
【背景技術】
【０００２】  図２に一例として示されているインクジェットプリンターとしては図３に示すように各種の絵柄を表示する印刷フイルムが通常印刷されていた。しかしながら、本考案の出願人である（株）デサンには依頼者の所有している物体，例えば搬送用のトラック等の外面にその使用者の希望する色彩のフイルムを貼付する要請があった。しかしながら、インクジェットプリンターとしては従来は前記のように絵柄を表示した印刷物を印刷することが通常であり、単なる各種サイズの色付きフイルムを印刷する用途としては使用されていなかった。これを証明する公知技術としても本考案の出願人としては発見することが出来なかった。
（株）デサンとしては前記のように使用者からの依頼に答えるため図４に示すようにフイルムメーカーの販売している色付きフイルムを購入しこれに使用者の希望する絵柄や文字等を印刷し使用者の物体（用具）に貼付する仕業を行っていた。
【考案の概要】
【考案が解決しようとする課題】
【０００３】  前記のように（株）デサンとしては使用者の希望する印刷物を使用者の物体（用具）に貼付する仕事を行っていたが、前記のように色付きフイルムを購入することが必要であり、そのために使用者（ユーザー）の希望納期を厳守することにかなりの労力を必要とすると共に原価高や在庫品の増加等の問題点があった。そのため、（株）デサンとしてはインクジェットプリンターを準備し、これにより自社として各種の色付きフイルムを製造し、その色付きフイルムに使用者の希望する絵柄や文字等を印刷することを考えて実行した。この色付きフイルムの自社製により原価低減，納期の確保の容易化，在庫品の低減等の大きなメリットを得ることが出来た。
【課題を解決するための手段】
【０００４】  （株）デサンとしてはインクジェットプリンターによって色付きフイルムを製作する内容の方法の出願を考えたが、方法発明としては進歩性がないものと判断し、この方法によって作成される色付きフイルムについて専用権を得ることを考えて、本考案を出願したものである。即ち、本考案は従来存在していないインクジェットプリンターを用いた各種の色の色付きフイルムを請求項として提示する出願を行ったものである。
【考案の効果】
【０００５】  前記のようにこの色付きフイルムは自社で製作が出来、使用者の希望する注文に確実に対応出来ると共に原価低減や在庫品低減等の大きな効果を上げることが出来、大きなメリットを得ることが出来た。
【図面の簡単な説明】
【０００６】
【図１】本考案の各種色の色付きフイルムを示す表面図。
【図２】インクジェットプリンターの一例を示す立体図。
【図３】従来インクジェットプリンターで行っていた絵柄フイルムの一例を示す表面図。
【図４】従来作成されているフイルムメーカーの色付きフイルムの数例を示す表面図。
【考案を実施するための形態】
【０００７】  図１は本考案による色付きフイルムの数例を示す表面図である。この図面には赤，黄，緑，青，濃青の５種類の色付きフイルムが示されているが色彩については図１の色付きフイルムに限定するものでなく、インクジェットプリンターによって製作可能なすべての色彩のフイルムが対応されることは勿論である。
【０００８】  本考案は以上の説明の内容からなるが具体的なフイルムの寸法や色彩やそれに表示する使用者の希望する絵柄や文字や模様については明細書に設けてもよいが特別表示する必要がないと判断したため省略した。
【産業上の利用可能性】
【０００９】  本考案は既に自社内で実施されているものであり、製作の可能性は極めて高いものと判断している。
【符号の説明】
【００１０】１  本考案の色付きフイルム
２  インクジェットプリンターの一例
３  従来インクジェットプリンターで印刷されているフイルム
４  フイルムメーカーが製作している色付きフイルム
【図１】
0003233967.tif 000003
【図２】
0003233967.tif 000004
【図３】
0003233967.tif 000005
【図４】
0003233967.tif 000006
【手続補正書】
【提出日】令和3年5月20日(2021.5.20)
【手続補正１】
【補正対象書類名】実用新案登録請求の範囲
【補正対象項目名】全文
【補正方法】変更
【補正の内容】
【実用新案登録請求の範囲】
【請求項１】
インクジェットプリンタに挿入されている物体であって、該物体には色彩が印刷されてなることを特徴とする色付き物体。
【請求項２】
前記物体が専用紙，紙，フイルムであることを特徴とする請求項１に記載の色付き物体。
【請求項３】
前記フイルムの色が白，赤，黄，緑，青，黒，金，銀，濃赤，濃黄，濃緑，濃青のものからなることを特徴とする請求項２に記載の色付き物体。
【手続補正２】
【補正対象書類名】明細書
【補正対象項目名】０００４
【補正方法】変更
【補正の内容】
【０００４】      本考案は従来技術では開始されていないインクジェットプリンタに挿入されて抽出される物体からなり、該物体には色彩が塗色されることを特徴とした。また、この物体の内容や物体の１つであるフイルムについてはそれに表示される色彩の内容を特定したものからなることを特徴とした。
(57)【要約】      （修正有）【課題】高速道路上に設置できる大規模太陽光発電パネル施設の構築物を提供する。【解決手段】大規模太陽光発電パネル施設の構築物は、高速道路の左右側面の土手６と中央分離帯５に立てた柱３と、柱３の上に設けた平屋根１と、平屋根１の上に設置された太陽光発電パネル２を含む。高速道路上に平屋根１を設けることで、高速道路総延長距離約１万Ｋｍが太陽光発電パネル２の設置面積となる。また、夜間、雨天時での供給不能の問題は複数の大規模太陽光発電施設のネットワーク化で解決できる。また、太陽光発電は太陽がある限り永続的で涸れることがなく無尽蔵である。また、高速道路上の大規模太陽光発電の事業化が始まれば森林等の伐採は自然保護と経済性の観点から無用になる。【選択図】図１
0003233969.tif 000002
【実用新案登録請求の範囲】
【請求項１】
高速道路の左右の側面の土手と中央分離帯に柱を立てその上に平屋根を設けその屋根に太陽光発電パネルを設置した大規模太陽光発電パネル施設の構築物
【考案の詳細な説明】
【考案の詳細な説明】
【技術分野】
【０００１】我が国の電気エネルギーの割合は石炭２７．８％、ＬＮＧ３４．６％、石油２．６％、その他火力８．７％、原子力６．５％、水力７．４％、太陽光７．４％、風力０．８％、地熱０．２％、バイオマス２．７％となっている。原子力の割合が少ないのは２０１１年３月１１日に発生した３．１１東日本大震災による東京電力福島第一原子力発電所事故（当時５４基稼動）の影響に関連し今も多数の原子力発電所が稼動していないことによるものである。さて、前述した電気エネルギーの割合を化石、原子力、太陽光、水力に各々集計すると化石５６．０％、原子力６．５％、水力７．４％、太陽光７．４％で、化石燃料が断トツに高い依存率となっている。
【背景技術】
【０００２】問題は地球温暖化である。この地球温暖化の元凶は化石燃焼による二酸化炭素の排出である。そこで、２０１５年１２月気象変動枠組条約第２１回締約国会議が開かれ２０１６年１１月化石燃料の使用が禁止された。これがパリ協定である。
また、３．１１東日本大震災時の東京電力福島第一原子力発電所事故の惨状で人類究極の願望である核廃絶が２０１７年７月の国際連合総会で採決され２０２１年１月に発効した。
このことにより、世界的に化石燃料と原子力は禁止されることになった。そこで代替エネルギーとして浮上したのが風力と水素である。が、風力は運営時の故障が多いこと、水素は燃焼により分解された後の水が人体及び魚類・植物へ与える安全性が未知数であること。いずれも、解決の難しい問題を抱えている。そこで代替エネルギーとして残る可能性が高いのは太陽光発電である。
【考案が解決しようとする課題】
【０００３】太陽光発電にも問題がある。まず、１つ目は太陽光発電パネルを設置する広い空き地の確保である。２つ目は夜間や雨天時での電気の供給不能である。３つ目は蓄電池の開発の遅れである。４つ目は電気の永続的且安定的供給である。５つ目は太陽光発電パネルの設置場所を確保するための森林等の伐採である。
【考案を実施するための形態】
【０００４】そこで本案は、先ず、広い空き地に代わる太陽光発電パネルの設置場所を総延長距離約１万Ｋｍの高速道路上に平屋根をつくることで可能とした。２つ目は夜間や雨天時の発電不能の解決は高速道路上に設置された大規模太陽光発電施設を同様の大規模太陽光発電施設とネットワーク化することで解決を可能とした。３つ目は総力を挙げて蓄電池の開発に取り組むことで解決させる。４つ目は太陽がある限り太陽光発電は永続的且無尽蔵で心配は無用とした。５つ目は森林等の平地及び緩い傾斜地を太陽光発電パネルの設置の為に伐採することは自然破壊に繋がることで、二酸化炭素削減に逆行する行為として条例制定で解決するとした。
なお、高速道路上の平屋根に設置する太陽光発電パネルはパネルの表を南に向けて約３０度後に反らせ固定する。
【考案の効果】
【０００５】高速道路上に平屋根を設けその屋根に太陽光発電パネルを大規模に設置し、それらが複数の大規模太陽光発電施設間でネットワーク化すれば化石燃料や原子力にたよる必要は無くなり無尽蔵に電気を獲得することが出来る様になる。２０５０年までに脱炭素社会を達成することは可能である。
【図面の簡単な説明】
【０００６】
【図１】図面１は高速道路上に平屋根を設けその平屋根の上に太陽光発電パネルが設置された斜面図である。
【図２】図面２は太陽光発電パネルを設置した側面図である。
【符号の説明】
【０００７】符号１は高速道路上に設置された平屋根である。符号２は平屋根の上に設置された太陽光発電パネルである。符号３は平屋根を支える柱である。符号４は高速道路の車道である。高速道路中央部の点線符号５は中央分離帯である。符号６は高速道路の側面の土手である。
符号７は高速道路の平屋根の上に南向き角度３０度で設置した太陽光発電パネルである。符号８は高速道路上に設置した平屋根である。符号９は平屋根を支える柱である。符号１０は高速道路車道を側面から見た図である。符号１１は高速道路の土手に当たる部分である。符号１２は太陽光発電回線のプラス線とマイナス線である。
【図１】
0003233969.tif 000003
【図２】
0003233969.tif 000004
(57)【要約】【課題】洗浄性を損なうことなく、洗浄成分の配合量を低減した、より刺激性を抑えたシャンプー組成物が詰められたシャンプー容器を提供する。【解決手段】シャンプー入り容器１は、吐出ノズル２と中空状のボトル部３とを備え、ボトル部３は、洗浄成分の濃度を３〜１２重量％とした液状のシャンプー組成物４が詰められている。また、吐出ノズル２は、シャンプー組成物４をボトル部３から外へ吐出する際、シャンプー組成物４を泡状にして吐出する。また、シャンプー組成物４は、アミノ酸系界面活性剤を洗浄成分とする。【選択図】図１
0003233965.tif 000002
【実用新案登録請求の範囲】
【請求項１】
吐出ノズルと中空状のボトル部とを備え、
前記ボトル部は、洗浄成分の濃度を３〜１２重量％とした液状のシャンプー組成物が詰められていることを特徴とするシャンプー入り容器。
【請求項２】
前記吐出ノズルは、前記シャンプー組成物を前記ボトル部から外へ吐出する際、前記シャンプー組成物を泡状にして吐出することを特徴とする請求項１に記載のシャンプー入り容器。
【請求項３】
前記シャンプー組成物は、アミノ酸系界面活性剤を前記洗浄成分とすることを特徴とする請求項１又は２に記載のシャンプー入り容器。
【考案の詳細な説明】
【技術分野】
【０００１】
本考案は、低刺激性のシャンプー組成物が詰められたシャンプー入り容器に関する。
【背景技術】
【０００２】
一般的に、シャンプーは、頭皮及び毛髪の洗浄のために使用される。その中でも、洗浄成分としてアミノ酸系界面活性剤を用いたアミノ酸系シャンプーと呼ばれるシャンプー組成物は、刺激性が低く、頭皮及び毛髪へのダメージが少ない。一方で、アミノ酸系シャンプーは、起泡性が低く、すすぎ時の指通りが悪く、太くてクセの強い毛髪には柔軟性を付与できないという課題があった。そのような中、特許文献１には、アミノ酸系アニオン性界面活性剤とそれ以外のアニオン性界面活性剤とを配合することで、上記課題を解決したシャンプー組成物が開示されている。
【先行技術文献】
【特許文献】
【０００３】
【特許文献１】特開２００３−２６５４７号公報
【考案の概要】
【考案が解決しようとする課題】
【０００４】
しかし、特許文献１に記載のシャンプー組成物のような、アミノ酸系シャンプーが一般的なシャンプーと比べ低刺激性であっても、一般に流通するシャンプーにおける洗浄処理の主剤（以下、洗浄成分）配合量は低くなく、例えば美容師のような１日に何度もシャンプー組成物に触れる機会のある者にとって、シャンプー組成物は、手荒れ等の原因の１つとなっていた。
【０００５】
そこで、本考案の目的は、洗浄性を損なうことなく、洗浄成分の配合量を低減した、より刺激性を抑えたシャンプー組成物が詰められたシャンプー容器を提供することにある。
【課題を解決するための手段】
【０００６】
上記目的を達成するために、請求項１に記載の考案は、吐出ノズルと中空状のボトル部とを備え、ボトル部は、洗浄成分の濃度を３〜１２重量％とした液状のシャンプー組成物が詰められていることを特徴とする。
請求項２に記載の考案は、上記構成に加え、吐出ノズルは、シャンプー組成物をボトル部から外へ吐出する際、シャンプー組成物を泡状にして吐出することを特徴とする。
請求項３に記載の考案は、上記構成に加え、シャンプー組成物は、アミノ酸系界面活性剤を洗浄成分とすることを特徴とする。
【考案の効果】
【０００７】
請求項１に記載の考案によれば、洗浄成分の配合量を低減することで、より刺激性を抑えることができる。
請求項２に記載の考案によれば、上記効果に加え、洗浄成分の配合量を低減したことに起因する起泡性の低下によらず、洗浄時の泡立ちを維持することができる。
請求項３に記載の考案によれば、上記効果に加え、さらに刺激性を抑えることができる。
【図面の簡単な説明】
【０００８】
【図１】シャンプー入り容器を示す説明図である。
【考案を実施するための形態】
【０００９】
以下、本考案のシャンプー入り容器について図面に基づいて詳細に説明する。
図１は、シャンプー入り容器を示す説明図である。なお、図１では、説明を簡便とするため、ボトル部を透明化して示す。
シャンプー入り容器１は、吐出ノズル２と、中空で円筒形状のボトル部３と、ボトル部３に入れられた液状で洗浄成分の配合量を低減したシャンプー組成物４とを備える。
【００１０】
吐出ノズル２は、ボトル部３の上部に着脱可能に設けられ、ノズル部２ａを下方へ押し込む際、ノズル部２ａに接続されボトル部３の内部に延びるチューブ２ｂを通じて、シャンプー組成物４をシャンプー入り容器１の外部に吐出する。また、吐出ノズル２は、シャンプー組成物４を吐出する際、泡状にして吐出する構造を有している。これにより、シャンプー組成物４に含まれる洗浄成分の配合量を低減したことに起因する起泡性の低下によらず、洗浄時の泡立ちを維持することができる。なお、吐出ノズル２が有する液状のシャンプー組成物４を泡状にして吐出するための構造は限定されず、公知の構造を適用できる。
【００１１】
シャンプー組成物４は、洗浄成分として、頭皮、毛髪等への刺激性の低いアミノ酸系界面活性剤を含む。洗浄成分の配合量は、３〜１２重量％であり、好ましくは３〜１０％であり、特に好ましくは、３〜５％である。洗浄成分の配合量を低減することで、より刺激性を抑えることができる。
シャンプー組成物４に洗浄成分として配合されるアミノ酸系界面活性剤としては、主に、ココイルグルタミン酸二ナトリウムをはじめとするココイルグルタミン酸塩、アルキル鎖長が１２〜１４のヒドロキシアルキルヒドロキシエチルサルコシン及びその塩を含むアニオン性界面活性剤が好適である。特に、起泡性の高いココイルグルタミン酸二ナトリウムを用いることで、洗浄成分を低減しても、泡立ちを維持できる。
【００１２】
上記形態のシャンプー入り容器１は、吐出ノズル２と中空状のボトル部３とを備え、ボトル部３は、洗浄成分の濃度を３〜１２重量％とした液状のシャンプー組成物４が詰められている。
よって、洗浄成分の配合量を低減することで、より刺激性を抑えることができる。
【００１３】
また、吐出ノズル２は、シャンプー組成物４をボトル部３から外へ吐出する際、シャンプー組成物４を泡状にして吐出する。
よって、シャンプー組成物４に含まれる洗浄成分の配合量を低減したことに起因する起泡性の低下によらず、洗浄時の泡立ちを維持することができる。
【００１４】
また、シャンプー組成物４は、アミノ酸系界面活性剤を洗浄成分とする。
よって、さらに刺激性を抑えることができる。
【００１５】
以上は、本考案を図示例に基づいて説明したものであり、その技術範囲はこれに限定されるものではない。例えば、ボトル部は、シャンプー組成物を詰めることができれば、円筒状以外にも、四角柱状等の他の形状であっても良い。
また、吐出ノズル及びボトル部の材質は限定されず、プラスチック、金属、陶器等から任意に選択可能である。
また、シャンプー組成物は、洗浄成分以外に、水、防腐剤、起泡助剤、香料等が配合されていても良い。
【符号の説明】
【００１６】
１・・シャンプー入り容器、２・・吐出ノズル、３・・ボトル部、４・・シャンプー組成物。
【図１】
0003233965.tif 000003
(57)【要約】【課題】簡単な改良によって近年世界的な温暖化により増加している漁獲外対象魚である巨大魚類（エイやマンボウ、エチゼンクラゲ等）を定置網外へ逃すことにより定置網破損や溜り網内の漁獲対象魚と漁獲外対象魚の仕分けを回避する有効な定置網を提供すること。【構成】漁獲外対象魚が定置網内に侵入しても定置網外へ逃すことができる網目及びファスナーないしメガネ網を定置網天井面及び底面並びに側面に取りつけ、漁獲対象魚のみが通過できる定置網用仕切網を溜り網内部に取りつけたことを特徴とする。【選択図】図１
0003233977.tif 000002
【実用新案登録請求の範囲】
【請求項１】
近年の世界的温暖化の影響により海洋熱波が発生し、北海道へ本州から巨大魚類（エイやマンボウ、エチゼンクラゲ等）といった漁獲外対象魚が増加しているため、漁獲外対象魚を定置網外へ逃すためのファスナーを天井面や底面や側面に備えることを特徴とする定置網。
【請求項２】
エイやマンボウ、エチゼンクラゲ等といった漁獲外対象魚を定置網外へ逃すためのメガネ網を天井面や底面や側面に備えることを特徴とする定置網。
【請求項３】
請求項１及び２記載の定置網外へ逃す漁獲外対象魚は通過できない一方で漁獲対象魚が通過できる程度の網目を備えることを特徴とする定置網用仕切網。
【請求項４】
請求項１ないし３記載のエイやマンボウ、エチゼンクラゲ等といった漁獲外対象魚を定置網外へ逃すためのファスナーないしメガネ網や漁獲外対象魚が通過できない一方で漁獲対象魚が通過できる仕切網を備えることを特徴とする定置網。
【考案の詳細な説明】
【技術分野】
【０００１】  本考案は、世界的温暖化により海洋熱波が発生し巨大魚類（エイやマンボウ、エチゼンクラゲ等）といった漁獲外対象魚が定置網内に侵入する事例が増加しているため、漁獲外対象魚を定置網外へ逃すために天井面及び底面並びに側面にファスナー付きないしメガネ網を設ける一方で、定置網内溜り網へ漁獲外対象魚が侵入できないように定置網内に仕切網を設けた定置網に関するものである。
【背景技術】
【０００２】  定置網漁は、漁場に定置網を敷設し、回遊してきて網に進入した魚を漁獲する方法であり、日本における漁獲技術の１つとして現代においても採用され続けている漁獲方法である。
【考案の概要】
【考案が解決しようとする課題】
【０００３】  近年、巨大魚類（エイやマンボウ、エチゼンクラゲ等）といった漁獲外対象魚が定置網内溜り網まで侵入して、漁獲対象魚の漁獲量の減少や漁獲対象魚と漁獲外対象魚を仕分けることによる漁業の非効率化といった悪影響だけでなく、定置網内における漁獲外対象魚の挙動による漁具漁網の破損被害等といった多大な被害が発生しており、漁業従事者にとって死活問題となっている。
【課題を解決するための手段】
【０００４】  本考案は、定置網を改良し、漁獲外対象魚を定置網外へ逃すだけでなく漁獲外対象魚が溜り網内へ侵入することを防ぐ方法である。定置網天井面及び底面並びに側面に漁獲外対象魚が通過できるファスナーないしメガネ網を取り付けるだけでなく、漁獲対象魚のみが通過できる仕切網を設けることによって溜り網内への漁獲外対象魚の侵入を防ぐことにより問題点を解決している。
【考案の効果】
【０００５】  定置網に取り付けたファスナーないしメガネ網の効果については、定置網に取り付けたファスナーないしメガネ網から定置網外へ逃れる可能性が非常に高くなった。さらに、定置網外へ逃れなかった漁獲外対象魚は定置網内仕切網によって溜り網内に侵入することができなくなったため、溜り網内の漁獲対象魚と明確に区別することができるようになった。その結果、漁獲対象魚と漁獲外対象魚は完全に分離され、漁業の効率化の達成や漁網等の破損を防ぐことができる等多大な効果があった。
【図面の簡単な説明】
【０００６】
【図１】改良定置網の構造図
【図２】定置網内における垣網及び溜り網の構造図
【図３】定置網内の仕切網の側面図
【図４】漁獲外対象魚を定置網外へ逃すファスナー拡大図
【図５】メガネ網の拡大図
【図６】本実用新案のイメージ図
【考案を実施するための形態】
【０００７】  定置網内仕切網付近の定置網前部側の天井面及び底面並びに側面にファスナーないしメガネ網を取り付けており、このファスナーないしメガネ網から漁獲外対象魚が定置網外へ逃げる仕組みとなっている。また、仕切り網は漁獲外対象魚が通過できない程度の大きさの網目となっており、漁獲外対象魚の侵入を防ぎつつ溜り網後部へ漁獲対象魚が進入できる構造となっている。
【実施例】
【０００８】  以下添付図面に従って一実施例を説明する。図２に示した垣網１は漁獲対象魚を溜り網内へ誘導する網であり、図２に示した溜り網２は漁獲対象魚を捕獲するための網である。漁獲対象魚は垣網１を沿って移動し、溜り網２へ進入するが、漁獲外対象魚もまた、漁獲対象魚と同様に垣網１に沿って移動し、定置網内に侵入してしまう。【０００９】  図３に示した網目３は漁獲外対象魚の侵入を防ぎつつ漁獲対象魚を溜り網へ送る程度の大きさの網目である。漁獲外対象魚はこの網目３を通過できないため、溜り網２へと進入することはできないため、図１で示したファスナーないしメガネ網から定置網外へ逃れるほかなくなる。【００１０】  図４に示したファスナー４は漁獲外対象魚を定置網外へ逃すファスナーである。網目３を通過できない漁獲外対象魚を定置網外へ逃すためにファスナー４と一体化した開閉金具５によって開閉具合を調整することができる。【００１１】  なお、ファスナー４を用いない場合はファスナー４の代わりに図５におけるメガネ網６へ変更することも可能である。この場合、図５における開閉糸７を弛緩や緊張させることでメガネ網５の開閉具合を調節する。【００１２】  図１は漁獲外対象魚を逃すためのファスナーないしメガネ網及び漁獲対象魚のみが通過できる仕切網を取り付けた改良定置網の全体図であるが、図６で示したイメージ図のように漁獲対象魚のみを溜り網内へ誘導することができる。
【符号の説明】１  垣網
２  溜り網
３  網目
４  ファスナー
５  メガネ網
６  開閉糸
【図１】
0003233977.tif 000003
【図２】
0003233977.tif 000004
【図３】
0003233977.tif 000005
【図４】
0003233977.tif 000006
【図５】
0003233977.tif 000007
【図６】
0003233977.tif 000008
(57)【要約】      （修正有）【課題】清掃人を配置せずにお客様の利用時であっても常にベルトを消毒し続ける事ができるエスカレーター手摺ベルト消毒機を提供する。【解決手段】本考案のエスカレーターの手摺ベルト消毒機は消毒薬を貯留するタンク３と、タンク内に一部浸清してタンクより一部突出するようにタンクに軸支され回転可能なローラ２と、タンクの底面に設けられたグリップ可能なゴム材６と、タンクに設けられた取っ手５と、タンクの消毒薬の補充口に設けられたキャップ４とが設けられている事によりエスカレーター手摺ベルト１を消毒し続ける事ができる。【選択図】図２
0003233979.tif 000002
【実用新案登録請求の範囲】
【請求項１】
消毒薬を貯留するタンクと、前記タンク内に一部浸漬して一部突出するように、前記タンクに軸支され回転可能なローラと、前記タンクの底面に設けられた取っ手と、前記タンクの前記消毒楽の補充口に設けられた、キャップとを有する、エスカレーターの手摺ベルト消毒機。
【考案の詳細な説明】
【技術分野】
【０００１】本考案は、エスカレーターの手摺ベルトを消毒する物である。
【背景技術】
【０００２】エスカレーターの手摺ベルトの消毒・拭き掃除は現在人の手で行なっています、清掃人は一個所に付っきりではなく他多くの個所を巡回して回っています清掃人が作業中でない個所は消毒は完全でわありません。
【考案の概要】
【考案が解決しようとする課題】
【０００３】お客様は作業にかかわらず、常に自由にエスカレーターを利用されます又清掃人を一個所に長時間配他しては、より多くの人員が必用になります。
清掃人が作業中の個所でもお客様の利用時は作業を一時停止しなければなりません  お客様がたいへん多く続く湯合は、作業（消毒）できずにいます。
本考案は、人を配置せずお客様の利用時でも常にベルトを消毒し続ける事のできるこれまでの問題点を解決する物であります。
【課題を解決するための手段】
【０００４】エスカレーターの手摺ベルトは常に回転しています。このベルトにローラを当てローラーも回転させます。このローラは消毒液の入ったボディータンクにおよそ半分浸かっています。消毒液の付着したローラがベルトに接触してベルトを消毒する仕組です。
【考案の効果】
【０００５】この考案はベルトの回転を利用するので電力はいりません。
【図面の簡単な説明】
【０００６】
【図１】  本考案の少し斜・上から見た正面図である。
【図２】
0003233979.tif 000003
【考案を実施するための形態】
【０００７】１はエスカレーターの手摺ベルト、この本体はこれから人が入るエスカレーター入口のベルト下・床に置きます、ベルトとローラを合せる高さの調整は、本体を置く位置できめます。ベルトの位置は奥え押ほど低くなります。
【０００８】２はローラー．ホディータンクに紬を置き固定してあり回転します
大体のベルトに合う横８ｃｍ位いの物でポリエステル材。
【０００９】３はボディータンクここに消毒液を入れます。安全制のためポリエステル材又透明に近く消毒液の量が透けて見える様になります。
ローラも含め縦大体１５ｃｍ位の物  横１２ｃｍ位  先頭縦７ｃｍ位。
【００１０】４は補充口（キャップ）ここから消毒液を入れます。
消毒液の入る量はここのラインまで。
【００１１】５は取っ手ここをもって本体を運びます。
【００１２】６はストッパー靴底の用にゴム材でタンクに固定してありすべり動かない用にします。
【符号の説明】
【００１３】１．  エスカレーター手摺ベルト
２．  ローラ
３．  ボディータンク
４．  補充口（キャップ）
５．  取っ手
６．  ストッパー（ゴム材）
【図１】
0003233979.tif 000004
【図２】
0003233979.tif 000005
(57)【要約】      （修正有）【課題】便利に脱着でき、食事中も着けたままの状態で飲食が出来る、使い捨てが出来、安価で持ち運びに便利な掛け紐無用貼着式鼻マスクを提供する。【解決手段】掛け紐無用貼着式鼻マスクは、飲食中に新型コロナや変異型のウィルスの飛沫を吸わない様にＯＰＰ紙やコーヒーフィルター材、不織紙などを基素材３にして鼻腔をふさぐマスクであり、携帯に便利で、食事する都度、使い捨てに出来る、安価で顔に貼る鼻腔用のマスクである。【選択図】図３
0003233976.tif 000002
【実用新案登録請求の範囲】
【請求項１】
コーヒーフィルターやＯＰＰ紙、または不織紙の様なしなやかな基素材で成り、主要に鼻腔周りをウィルスや花粉からガードする為の鼻腔マスクであって鼻腔の外側壁根元部当接域において、肌を荒らさない貼着剤もしくはクリーム剤でなる固定部を設け、鼻周りを覆う形で固定部を介して皮膚に貼着式に設置され、耳かけ紐なしで使用される事を特徴とする掛け紐無用貼着式鼻マスク。
【考案の詳細な説明】
【技術分野】
【０００１】  本考案は、新型コロナなどのウィルスや花粉が鼻腔から入る事を防ぐ的にした顔に貼り付け式のマスクである。
【背景技術】
【０００２】  殆どのマスクが耳や頭部に回しかける形になって居る。また顔のほぼ全体を広く覆う形のものが使用されて来た。
【考案の概要】
【考案が解決しようとする課題】
【０００３】  次の様な問題に対処する事を考えた、新型コロナ、変異型のウィルスに対処する為にいちいちマスクを会食中に付け外ししなくては成らなかった。皮膚の弱い人は掛け紐で、耳の裏にかぶれを起こすことが有った。
マスクは、鼻腔を中心にマスクをかぶせ、マスクの両サイドに貼着部を設け、皮膚に無難な接着剤で顔に貼る。
飲食中にもマスクをつけたままで飛沫を吸わない方法は鼻腔からの呼吸を少なくする方法だった。食事中の飛沫感染が３７パーセントと言う統計もある、鼻腔をふさぐ事が、食事中の会話からの飛沫吸引が抑えられる。
【考案の概要】
【考案が解決しようとする課題】
【０００４】    そのために次の様な問題が有った。
飲食をするのに、従来のマスクを掛けたままでは、飲食が出来ない。
新型コロナや変異型ウィルスに対処する為に、いちいちマスクを会食中の会話時には外さなくてはならなかった。食事中の会話などで飛沫や花粉を鼻腔から吸い込まない事を目的にしたマスクである一般的なマスクは食事中にはかけ外しをしなくてはならない。
【課題を解決するための手段】
【０００５】  コーヒーフィルターやＯＰＰ紙の様なしなやかな素材でなり、主要に鼻腔周りをウィルスや花粉からガードするための鼻腔マスクであって鼻腔の外側壁根元部当接域において、肌を荒らさない貼着剤もしくはクリーム剤でなる固定部を設け、鼻周りを覆う形で固定部を介して皮膚に貼着式に設置されるマスク。
以上を特徴とする掛け紐無用の貼付式鼻腔マスクである。
【考案の効果】
【０００６】  飲食の都度、外すこと無く、飛沫を多く飛ばす事なく、食事中にも着装したまま、出来る。飲食中は口で呼吸する事で安全に食事が出来る。鼻腔用の使い捨てとして従来のマスクのインナーにも使用できる。
【図面の簡単な説明】
【０００７】
【図１】本考案の平面図
【図２】本考案の側面図
【図３】本考案のを人が着装した時の図
【考案を実施するための形態】
【０００８】    飲食をするのには、従来のマスクをかけたままでは、飲食が出来ない。
新型コロナ、変異型のウィルスに対抗する為に、いちいちマスクを会食中に付外しをしなくてはならなかった。鼻腔からの飛沫を吸う事を防ぐ目的で、鼻腔をカバーする方法と、鼻腔にキャップする様にカバーし、紐を使わずにキャップの両側に鼻マスクの皮膚側にノリをつけて、皮膚に貼る事にした。
【符号の説明】
【０００９】１固定部、    ２鼻腔の外側壁根元当接域    ３基素材
【図１】
0003233976.tif 000003
【図２】
0003233976.tif 000004
【図３】
0003233976.tif 000005